【手続補正書】
【提出日】平成22年1月22日(2010.1.22)
【手続補正１】
【補正対象書類名】特許請求の範囲
【補正対象項目名】請求項１２
【補正方法】変更
【補正の内容】
【請求項１２】
前記計算機システムは、前記ネットワークに接続された一つ以上の第２ストレージシステムと、前記ネットワークに接続されたサーバ計算機と、をさらに備え、
前記各第２ストレージシステムは、一つ以上の第２データ記憶装置と、前記第２データ記憶装置を制御する第２コントローラと、を備え、
前記一つ以上の第２データ記憶装置に含まれる複数のデータ記憶領域の少なくとも一つは、前記複数のファイルのいずれかに対応付けられ、
前記サーバ計算機は、前記ネットワークに接続される第３インタフェースと、前記第３インタフェースに接続される第３プロセッサと、前記第３プロセッサに接続される第３メモリと、前記第３プロセッサに接続される第３データ記憶装置と、を備え、
前記第３データ記憶装置には、一つ以上の第２ファイルが格納され、
前記検索処理部は、前記一つ以上の第２ファイルのうち、前記第１ストレージシステム及び前記一つ以上の第２ストレージシステムのいずれか一つの識別情報と、所定のキーワードと、を含む前記第２ファイルを検索し、
前記フォルダ決定部は、
前記検索によって取得した前記第２ファイルに含まれる前記所定のキーワードの数を、前記取得した第２ファイルに含まれる前記第１ストレージシステム又は前記第２ストレージシステムの識別情報ごとに集計し、
前記第１ストレージシステム及び前記一つ以上の第２ストレージシステムのうち、前記集計された所定のキーワードの数が所定の条件を満たすものに含まれる前記複数のフォルダと、前記指示されたファイルと、の関係の強さを判定することを特徴とする請求項１１に記載の計算機システム。
【手続補正２】
【補正対象書類名】特許請求の範囲
【補正対象項目名】請求項２０
【補正方法】変更
【補正の内容】
【請求項２０】
前記計算機システムは、前記ネットワークに接続された一つ以上の第２ストレージシステムと、前記ネットワークに接続されたサーバ計算機と、をさらに備え、
前記各第２ストレージシステムは、一つ以上の第２データ記憶装置と、前記第２データ記憶装置を制御する第２コントローラと、を備え、
前記一つ以上の第２データ記憶装置に含まれる複数のデータ記憶領域の少なくとも一つは、複数の前記ファイルのいずれかに対応付けられ、
前記サーバ計算機は、前記ネットワークに接続される第２インタフェースと、前記第２インタフェースに接続される第２プロセッサと、前記第２プロセッサに接続される第２メモリと、前記第２プロセッサに接続される第３データ記憶装置と、を備え、
前記第３データ記憶装置には、一つ以上の第２ファイルが格納され、
前記方法は、さらに、
前記一つ以上の第２ファイルのうち、前記第１ストレージシステム及び前記一つ以上の第２ストレージシステムのいずれか一つの識別情報と、所定のキーワードと、を含む前記第２ファイルを検索する手順と、
前記検索によって取得した前記第２ファイルに含まれる前記所定のキーワードの数を、前記取得した第２ファイルに含まれる前記第１ストレージシステム又は前記第２ストレージシステムの識別情報ごとに集計する手順と、を含み、
前記複数のフォルダと、前記指示されたファイルとの関係の強さを判定する手順は、前記第１ストレージシステム及び前記一つ以上の第２ストレージシステムのうち、前記集計された所定のキーワードの数が所定の条件を満たすものに含まれる前記複数のフォルダと、前記指示されたファイルと、の関係の強さを判定することによって実行されることを特徴とする請求項１６に記載の方法。
【手続補正３】
【補正対象書類名】明細書
【補正対象項目名】００３７
【補正方法】変更
【補正の内容】
【００３７】
クライアント・コンピュータ０１０１は、ネットワーク・インタフェース０２０５を介してネットワーク０１１５に接続され、検索エンジン・サーバ０１０５及びファイル・サーバ０１０７と通信する。
【手続補正４】
【補正対象書類名】明細書
【補正対象項目名】００５６
【補正方法】変更
【補正の内容】
【００５６】
画面０６０１は、ユーザが新規ファイル０１１７をファイル・サーバ０１０７に格納する際に利用する画面である。この画面０６０１は、登録ファイル入力欄０６０２及び代表キーワード入力欄０６０３を含む。
【手続補正５】
【補正対象書類名】明細書
【補正対象項目名】００７８
【補正方法】変更
【補正の内容】
【００７８】
フォルダ名を受信したクライアント・コンピュータ０１０１のＷＷＷブラウザ０１０３は、画面の登録パス名表示欄０６０６に受信したフォルダ名を表示し、処理を完了する。
【手続補正６】
【補正対象書類名】明細書
【補正対象項目名】００９０
【補正方法】変更
【補正の内容】
【００９０】
以下、第２の実施形態の計算機システムが第１の実施形態のもの（図１参照）と異なる点について説明する。
【手続補正７】
【補正対象書類名】明細書
【補正対象項目名】００９８
【補正方法】変更
【補正の内容】
【００９８】
図１１に示すように、新規ファイル０１１７をファイル・サーバ０１０７Ａ等に登録する際、クライアント・ファイル・システムの処理１１０１、ファイル・サーバの処理１１０２及び検索エンジンの格納フォルダ決定処理１１０３が実行される。これらの処理は、ユーザが、クライアント・ファイル・システム０１０４に対して、新規ファイル０１１７をファイル・サーバ０１０７Ａ等に格納する指示を入力したことを契機に開始される。
【手続補正８】
【補正対象書類名】明細書
【補正対象項目名】０１４７
【補正方法】変更
【補正の内容】
【０１４７】
図１８は、本発明の第３の実施形態のクライアント・ファイル・システム０１０４の格納フォルダ決定部０１１０が、図１４のステップ１４１３で作成する、フォルダ毎の代表キーワード出現回数を管理するテーブル１８０１の例を示す説明図である。
【手続補正９】
【補正対象書類名】明細書
【補正対象項目名】０１４８
【補正方法】変更
【補正の内容】
【０１４８】
図１８のテーブル１８０１は、オンライン・ストレージ名１８０２、フォルダ名１８０３及びキーワード出現回数１８０４を情報として含む。
【手続補正１０】
【補正対象書類名】明細書
【補正対象項目名】０１４９
【補正方法】変更
【補正の内容】
【０１４９】
例えば、図１８の第１エントリには、オンライン・ストレージ名１８０２、フォルダ名１８０３及びキーワード出現回数１８０４としてそれぞれ「ＯｎｌｉｎｅＳｔｏｒａｇｅＡ」、「ＤｉｒＡ」及び「５」が登録されている。これは、オンライン・ストレージ「ＯｎｌｉｎｅＳｔｏｒａｇｅＡ」が保持するフォルダ「ＤｉｒＡ」内の全ファイル０１１７に含まれる否定的なキーワードの数の合計が「５」個であることを示す。
【手続補正１１】
【補正対象書類名】明細書
【補正対象項目名】０１５１
【補正方法】変更
【補正の内容】
【０１５１】
図１４のステップ１４１４では、図１７のオンライン・ストレージのランキング・テーブル１７０１と、図１８のフォルダ毎の代表キーワード出現回数テーブル１８０１と、に基づいて、ファイル０１１７を格納するフォルダ０１１４が決定される。この処理を、図１７と図１８の例を参照して説明する。「ランキング上位」を上位一位のみに限定すると、否定的キーワード数が最も少ないオンライン・ストレージ「ＯｎｌｉｎｅＳｔｏｒａｇｅＢ」のフォルダ「ＤｉｒＢ」が、ファイル０１１７を格納するフォルダ０１１４として決定される。